(57)【要約】  【課題】モータ構成部の薄型化を可能にしたカメラ用羽根駆動装置を提供すること。  【解決手段】永久磁石１４ａを有する回転子１４は、地板１の軸１ｚに対して回転可能に取り付けられており、その出力ピン１４ｃによって、絞り羽根６を往復回転させるようになっている。略Ｕ字形をしたヨーク１１は、コイル１２を巻回しているボビン１３を嵌装させた状態で、地板１の窪み部１ｅによって位置決めされており、ボビン１３は、地板１の孔１ｃによって、ヨーク１１に対する移動を規制されている。そして、このボビン１３は、カバー板２によって、その張出部１３ｃに設けた孔を上記の軸１ｚの先端に嵌合させた状態を維持されている。【選択図】  図３
2006033914.tif 000002
【特許請求の範囲】
【請求項１】
撮影光路用の開口部を有している地板と、撮影光路用の開口部を有していて前記地板に取り付けられているカバー板との間に、少なくとも一つの羽根室を構成しており、該羽根室内には駆動手段によって往復作動させられ前記開口部に進退する少なくとも１枚の羽根を配置したカメラ用羽根駆動装置であって、前記駆動手段は、前記羽根を往復作動させるための出力ピンを有していて前記地板の羽根室側の面に立設された軸に対して回転可能に取り付けられている永久磁石製の回転子と、コイルを巻回している筒状部の軸方向を前記地板と平行にして前記地板の前記カバー板側に配置されており前記コイルの一部を前記地板に形成された孔に挿入していると共に前記地板と平行に形成されている張出部に設けた孔を前記軸の先端に嵌合させているボビンと、略Ｕ字形をしていて前記ボビンを前記筒状部で嵌装させており二つの磁極部を前記回転子の周面に対向させているヨークと、を備えていることを特徴とするカメラ用羽根駆動装置。
【請求項２】
前記ボビンが、前記張出部に設けた孔を前記軸に嵌合させた状態で、前記地板に取り付けられていることを特徴とする請求項１に記載のカメラ用羽駆動装置。
【請求項３】
前記カバー板が、前記張出部に設けた孔と前記軸との嵌合状態を維持するために、前記ボビンを押えた状態で前記地板に取り付けられていることを特徴とする請求項１に記載のカメラ用羽駆動装置。
【発明の詳細な説明】
【技術分野】
【０００１】
本発明は、シャッタ羽根や絞り羽根などを、モータで駆動するようにしたカメラ用羽根駆動装置に関する。
【背景技術】
【０００２】
カメラに採用されるレンズシャッタ装置（以下、単にシャッタ装置という），絞り装置，フィルタ装置は、各々１枚又は複数枚の羽根を有している。そして、最近の小型カメラ用シャッタ装置の場合には、シャッタ羽根を２枚とし、それらを相反する方向へ往復作動（回転又は直進）させるようにしたものが殆どとなっているが、携帯電話用などのように極めて小型なカメラに採用されるものとしては、シャッタ羽根を１枚だけとし、それを往復回転させるようにしたものもある。
【０００３】
また、絞り装置の場合には、複数枚の絞り羽根を同じ方向へ同時に回転させたり、２枚の絞り羽根を相反する方向へ直進させたりして、絞り開口の大きさを連続的に変化させ得るようにしたものがあるが、最近の小型カメラの場合には、デジタルカメラの出現に伴って、小さい円形の開口部を有した絞り羽根を回転させ、撮影光路に進退させるようにしたものが多くなっている。そして、その場合には、開口部の大きさの異なる複数枚の絞り羽根を備えていて、それらを選択的に進退させるようにしたものも知られている。
【０００４】
また、小型カメラ用のフィルタ装置の場合には、上記の円形の開口部を有する絞り羽根と類似の形状（但し、その開口部は、地板に形成された撮影光路用の開口部と略同じ大きさの場合もある）をした羽根部材に、その開口部を覆うようにしてその開口部の近傍位置でＮＤフィルタ板を取り付けることによってフィルタ羽根としたものが多いが、上記の羽根部材を２枚用意すると共に、それらの間に、それらと略同じ外形をしたＮＤフィルタ板を挟み合わせ、三者を１枚のフィルタ羽根であるかのようにして同時に同一方向へ往復回転させるようにしたものも知られているし、ＮＤフィルタ板の表面に傷の付く心配がない場合には、フィルタ羽根を、１枚のフィルタ板のみで製作するようにしたものも知られている。
【０００５】
更に、このような小型カメラ用の各羽根は、最近では、モータを駆動源として作動させられるようになっており、そのモータとしては、低コストで小型化し易いことから、ムービングマグネット型モータなどと称されている電流制御式のモータが多く採用されている。この種のモータの回転子は、回転中心で支承される本体部が、径方向に２極（又は４極）に着磁された円筒形又は円柱形の永久磁石を有していて、回転軸の径方向の位置には、それらの本体部と一体化された一つ又は二つの出力ピンを有しているが、中にはその出力ピンも永久磁石製としたものがある。そして、このような回転子は、固定子コイルに対する通電方向に対応した方向へ、所定の回転角度範囲内でだけ回転し、その出力ピンによって、直接又は間接に上記の各羽根を作動させるようにしている。
【０００６】
他方、この種のモータの固定子としては、種々の構成のものが知られているが、それらの中の一つに、略Ｕ字形をしたヨークに固定子コイルを嵌装させ、二つの磁極部を上記の回転子の周面に対向させるように構成したものが、下記の特許文献１などで知られている。そして、この固定子構成は、他のムービングマグネット型モータの固定子構成に比較して、モータ設置部における光軸方向の寸法を小さくする（以下、薄型化という）のに有利なことから、特に携帯情報端末装置用カメラなども含めた薄型のデジタルカメラの羽根駆動装置に用いて有利なものとなっている。
【０００７】
また、これらのシャッタ装置，絞り装置，フィルタ装置は、夫々単独で羽根駆動装置として構成されることもあるが、周知のように、一つの地板に対して、それらの二つ又は三つの装置の構成部材を取り付けて一つにユニット化された羽根駆動装置とし、各々の羽根を各々のモータで作動させるように構成されることもある。本発明は、固定子として上記のような略Ｕ字形をしたヨークを備えているタイプのムービングマグネット型モータで、上記した各種の羽根を駆動するようにした、小型カメラに採用して好適な羽根駆動装置に関するものである。
【特許文献１】特開２００４−０３２８７３号公報
【発明の開示】
【発明が解決しようとする課題】
【０００８】
ところで、特許文献１に記載されているシャッタ装置（以下、従来の羽根駆動装置という）は、地板（地板１０）が、一方の面とカバー板（裏板９０）との間に羽根室を構成していると共に、他方の面と合成樹脂製の枠体（ボビン兼押え部材５０）との間にモータ室を構成している。そして、その枠体（ボビン兼押え部材５０）は、地板（地板１０）との間にモータ室を構成するための板部材と、コイル（コイル６０）のボビンとを兼用したものであるため、装置の薄型化を確保しつつ、低コスト化を可能にした構成となっている。そのため、このタイプのモータを採用する限りにおいては、これ以上の装置の薄型化や低コスト化は極めて困難であるように思われる。
【０００９】
即ち、薄型化の観点からみてみると、従来の羽根駆動装置の場合には、枠体（ボビン兼押え部材５０）が、地板（地板１０）の羽根室外の面に取り付けられており、そこに設けた孔（嵌合孔５２ａ）に、地板（地板１０）に設けられていて回転子（ロータ２０）を嵌装させている軸（支軸１１）の先端を嵌合させている。そのため、枠体（ボビン兼押え部材５０）を余り薄くすると、製作時，運搬時などにおいて、何かが当たったり何かに押されたりして、モータ構成を損傷させてしまうおそれが生じてしまうことになる。また、低コスト化の観点からみてみると、枠体（ボビン兼押え部材５０）を、地板（地板１０）に対して確実に取り付けるためには、二つのねじ（ネジ７０）を必要とし、これ以上の部品点数の削減は難しい。
【００１０】
本発明は、このような問題点を解決するためになされたものであり、その目的とするところは、上記のような従来の羽根駆動装置よりもモータ構成部をさらに薄型化することの可能な構成をしたカメラ用羽根駆動装置を提供することであり、その上に、必要に応じて、モータ構成部、ひいては装置全体の低コスト化を図ることも可能にしたカメラ用羽根駆動装置を提供することである。
【課題を解決するための手段】
【００１１】
上記の目的を達成するために、本発明のカメラ用羽根駆動装置は、撮影光路用の開口部を有している地板と、撮影光路用の開口部を有していて前記地板に取り付けられているカバー板との間に、少なくとも一つの羽根室を構成しており、該羽根室内には駆動手段によって往復作動させられ前記開口部に進退する少なくとも１枚の羽根を配置したカメラ用羽根駆動装置であって、前記駆動手段は、前記羽根を往復作動させるための出力ピンを有していて前記地板の羽根室側の面に立設された軸に対して回転可能に取り付けられている永久磁石製の回転子と、コイルを巻回している筒状部の軸方向を前記地板と平行にして前記地板の前記カバー板側に配置されており前記コイルの一部を前記地板に形成された孔に挿入していると共に前記地板と平行に形成されている張出部に設けた孔を前記軸の先端に嵌合させているボビンと、略Ｕ字形をしていて前記ボビンを前記筒状部で嵌装させており二つの磁極部を前記回転子の周面に対向させているヨークと、を備えているようにする。
【００１２】
その場合、前記ボビンが、前記張出部に設けた孔を前記軸に嵌合させた状態で、前記地板に取り付けられているようにしてもよいし、前記カバー板が、前記張出部に設けた孔と前記軸との嵌合状態を維持するために、前記ボビンを押えた状態で前記地板に取り付けられているようにしてもよいが、後者の構成の方が、低コスト化には有利である。
【発明の効果】
【００１３】
本発明は、羽根の駆動手段として、コイルボビンを嵌装している略Ｕ字形のヨークを固定子とした電流制御式モータを用いている羽根駆動装置において、そのモータを地板のカバー板側に配置するようにしたものであるから、回転子の軸方向の移動を規制するためにボビンに設けられた張出部を厚くし頑丈にしなくても済むようになり、少なくともモータ構成部を、従来の羽根駆動装置よりも薄型にすることが可能である。また、地板に立設されていて回転子を回転可能に嵌合させている軸の先端と、ボビンの張出部に設けた孔との嵌合状態を、カバー板がボビンを押えることによって維持させるようにした場合には、ねじ部品などのような、地板に対するボビンやヨークの固定手段を不要にすることが可能になり、低コスト化を図ることも可能になる。
【発明を実施するための最良の形態】
【００１４】
本発明の実施の形態を、図示した実施例によって説明する。この実施例は、シャッタ装置と絞り装置とを一つのユニットとして構成したものであって、銀塩フィルムカメラにもデジタルカメラにも採用することのできるものであるが、その両方の場合について詳細に説明をするまでもないと考えるので、デジタルカメラに採用された場合について説明することにする。尚、図１は、シャッタ羽根が全開となっている撮影待機状態を被写体側から見た平面図であり、図２は、図１と同じ状態を固体撮像素子側から見た平面図である。また、図３は、要部の構成を分かりやすく説明するための断面図であり、図４は、シャッタ羽根が閉鎖した状態を固体撮像素子側から見た平面図である。
【実施例】
【００１５】
先ず、本実施例の構成を説明する。地板１は、合成樹脂製であって、円形をした撮影光路用の開口部１ａを有していると共に、後述する二つのモータの構成部材であるボビン９，１３の一部を挿入させるために略方形をした二つの孔１ｂ，１ｃを有している。そして、この地板１の固体撮像素子側の面は、種々の凹凸形状になっているが、その形状については後述する。また、地板１には、固体撮像素子側にカバー板２が取り付けられているが、図２及び図３では、地板１とカバー板２との間に配置されている部材を分かり易くするために、そのカバー板２を二点鎖線で示してある。そして、そのカバー板２にも円形をした撮影光路用の開口部２ａが形成されているほか、円弧状の二つの長孔２ｂ，２ｃが形成されていて、地板１側には複数の間座部が設けられているが、それらのうちの一つの間座部２ｄだけを図示している。また、このほかにも、カバー板２には複数の孔が形成されているが、それらについては、地板１へのカバー板２の取り付け方法と共に後述する。
【００１６】
地板１とカバー板２との間には、極めて薄い材料で製作された中間板３が配置されていて、地板１との間に後述するシャッタ羽根４，５の羽根室を構成し、カバー板２との間に後述する絞り羽根６の羽根室を構成している。この中間板３は、円形をした撮影光路用の開口部３ａを有しているほか、小判型をした孔３ｂと円形をした孔３ｃとを有している。そして、図２及び図３には記載していないが、上記のカバー板２にも、これらの孔３ｂ，３ｃと全く同じ形状をした孔がそれらと対向する領域に形成されている。また、中間板３に形成されている撮影光路用の開口部３ａは、地板１とカバー板２に形成された開口部１ａ，２ａと重ねて配置されているが、カバー板２に形成されている開口部２ａの直径が一番小さくて、露光開口を規制するようになっている。
【００１７】
地板１は、固体撮像素子側の面、即ち羽根室側の面に、後述するの二つのモータの回転子１０，１４やヨーク７，１１を落とし込むために２段に形成された窪み部１ｄ，１ｅを形成している。また、地板１には、五つの軸１ｆ，１ｇ，１ｈ，１ｙ，１ｚと、二つの取付軸１ｉ，１ｊと、八つの間座部１ｋ，１ｍ，１ｎ，１ｐ，１ｑ，１ｒ，１ｓ，１ｔと、四つのストッパ部１ｕ，１ｖ，１ｗ，１ｘとが設けられている。そして、地板１と中間板３の間に配置されている２枚のシャッタ羽根４，５は、長孔４ａ，５ａを有していて、シャッタ羽根４の方を地板１側にして、軸１ｆ，１ｇに回転可能に取り付けられている。また、カバー板２と中間板３の間に配置されている１枚の絞り羽根６は、カバー板２の開口部２ａより直径の小さな絞り開口部６ａと長孔６ｂとを有していて、軸１ｈに回転可能に取り付けられている。尚、このような絞り羽根６に、絞り開口部６ａを覆うようにしてＮＤフィルタ板を取り付ければ、フィルタ羽根になることは言うまでもない。
【００１８】
本実施例におけるシャッタ羽根４，５と絞り羽根６の駆動手段は、いずれも同じタイプのムービングマグネット型モータであって、両者は全く同じ構成をしているが、先ず、シャッタ羽根４，５を駆動する方のムービングマグネット型モータについて説明する。このモータの固定子は、略Ｕ字形をしていて二つの端部を磁極部とするヨーク７と、筒状部の外側にコイル８を巻回したボビン９とからなっていて、ボビン９は、その筒状部を、ヨーク７の一方の端部から嵌装させている。そして、ボビン９は、地板１側に二つの端子ピン９ａ，９ｂを有し、カバー板２側に略方形をした張出部９ｃを有していて、その張出部９ｃには、孔９ｄが形成されている。他方、回転子１０は、径方向に２極に着磁された略円筒形の永久磁石１０ａと、その永久磁石１０ａのカバー板２側の面に一体化された合成樹脂製の駆動部材１０ｂとからなっていて、その駆動部材１０ｂの先端に設けられた出力ピン１０ｃを、シャッタ羽根４，５の長孔４ａ，５ａに嵌合させている。尚、本実施例の場合には、駆動部材１０ｂと出力ピン１０ｃを合成樹脂製にしているが、それらを永久磁石製としても差し支えない。
【００１９】
次に、絞り羽根６を駆動する方のムービングマグネット型モータについて説明する。このモータの固定子は、略Ｕ字形をしていて二つの端部を磁極部とするヨーク１１と、筒状部の外側にコイル１２を巻回したボビン１３とからなっていて、ボビン１３は、その筒状部を、ヨーク１１の一方の端部から嵌装させている。そして、ボビン１３は、地板１側に二つの端子ピン１３ａ，１３ｂを有し、カバー板２側に略方形をした張出部１３ｃを有していて、その張出部１３ｃには、孔１３ｄが形成されている。他方、回転子１４は、径方向に２極に着磁された略円筒形の永久磁石１４ａと、その永久磁石１４ａのカバー板２側の面に一体化された合成樹脂製の駆動部材１４ｂとからなっていて、その駆動部材１４ｂの先端に設けられた出力ピン１４ｃを、絞り羽根６の長孔６ｂに嵌合させている。尚、この回転子１４の場合にも、駆動部材１４ｂと出力ピン１４ｃとを、永久磁石製とすることを妨げない。
【００２０】
ここで、本実施例の羽根駆動装置の組み立て方を説明する。先ず、地板１を、その被写体側の面を下にして、作業台の上に置く。このとき、少なくとも孔１ｂ，１ｃの形成面と作業台との間には所定の間隔が保てるようにしておく。そして、本実施例の場合には、その地板１の固体撮像素子側となる面に、モータ構成部材やシャッタ羽根などの全ての構成部材を順に組み付けていくことになる。そのため、従来のように、地板１の両面に分けて組み付ける場合より、組立作業が容易である。しかも、その組み付けに際しては、ねじ部品のような専用の固定部材を全く用いていない。従って、本実施例は、従来の装置よりもコスト面で極めて有利なものである。
【００２１】
そこで、組み付け順の一例を説明する。先ず、地板１にシャッタ羽根４，５の駆動用モータを取り付ける。その場合、最初に、出力ピン１０ｃを地板１とは反対側に向けておき、回転子１０の永久磁石１０ａを、地板１の軸１ｙに嵌合させる。次に、ボビン９をヨーク７に嵌装させた状態の固定子を、端子ピン９ａ，９ｂを地板１側にしておき、ヨーク７を地板１の窪み部１ｄに落とし込む。そして、そのとき、ボビン９の孔９ｄを、地板１の軸１ｙに嵌合させる。即ち、ボビン９の張出部９ｃを、回転子１０の抜け止めにするわけである。このとき、ボビン９の一部、即ちコイル８の一部は、地板１の孔１ｂに挿入されることになり、二つの端子ピン９ａ，９ｂだけが地板１の被写体側の面から突き出た状態になる。そして、その状態では、ボビン９は、ヨーク７に対する移動を孔１ｂの縁によって規制されるが、図面上では孔１ｂの形状を示すために、若干隙間があるようにして示してある。他方、ヨーク７は、窪み部１ｄに形成された壁の一部１ｄ−１，１ｄ−２によって長手方向の移動を規制され、間座部１ｓ，１ｔの側面によって幅方向の移動を規制されるようになる。
【００２２】
次に、全く同じようにして、地板１に絞り羽根６の駆動用モータを取り付ける。即ち、最初に、出力ピン１４ｃを地板１とは反対側に向けておき、回転子１４の永久磁石１４ａを、地板１の軸１ｚに嵌合させる。次に、ボビン１３をヨーク１１に嵌装させた状態にし、端子ピン１３ａ，１３ｂを地板１側にして、ヨーク１１を地板１の窪み部１ｅに落とし込む。そして、ボビン１３の孔１３ｄを、地板１の軸１ｚに嵌合させる。その結果、ボビン１３とコイル１２の一部は、地板１の孔１ｃに挿入され、二つの端子ピン１３ａ，１３ｂだけが地板１の被写体側の面から突き出た状態になる。そして、その状態では、ボビン１３は、ヨーク１１に対する移動を孔１ｃの縁によって規制され、ヨーク１１は、窪み部１ｅに形成された壁の一部１ｅ−１，１ｅ−２によって長手方向の移動を規制され、間座部１ｋ，１ｍの側面によって幅方向の移動を規制されるようになる。
【００２３】
このようにして、二つのモータの構成部材を組み付けた後、シャッタ羽根４，５に設けられている円形の孔（符号省略）を軸１ｆ，１ｇに嵌合させ、それらの長孔４ａ，５ａを上記の出力ピン１０ｃに嵌合させる。その後、中間板３を組み付けるが、その場合、中間板３は、その孔３ｂ，３ｃを、地板１の軸１ｆ，１ｈに嵌合させることによって、地板１の面と平行な方向への移動を規制される。また、中間板３は、地板１側の面を、地板１の間座部１ｎ，１ｑ，１ｒに接触させることによって、地板１との間隔を維持される。そして、次に、絞り羽根６に設けられている円形の孔（符号省略）を軸１ｈに嵌合させ、長孔６ｂを上記の出力ピン１４ｃに嵌合させる。
【００２４】
最後に、カバー板２を取り付けることになる。地板１に設けられた上記の軸１ｉ，１ｊは、図２〜図４から分かるように、それらの先端に面積の大きい鍔部を形成されている。しかしながら、カバー板２を取り付けるまでは、軸１ｉ，１ｊには、それらのような鍔部は形成されておらず、先端まで円柱状をしていた。従って、これらの鍔部は、カバー板２に形成されている円形の孔（符号省略）を、軸１ｉ，１ｊに嵌合させた後、それらの軸１ｉ，１ｊの先端部を熱溶解させて形成したものである。そして、このようにカバー板２を取り付けた状態においては、カバー板２は、地板１側の面を、地板１の間座部１ｋ，１ｐ，１ｓ，１ｔに接触させており、間座部２ｄによって、中間板３との間隔を維持している。
【００２５】
また、このとき、カバー板２にも、中間板３の孔３ｂと同じ形状の孔が形成されていて、そこに地板１の軸１ｈの先端を嵌合させており、カバー板２に形成されている円弧状をした二つの長孔２ｂ，２ｃには、回転子１０，１４の出力ピン１０ｃ，１４ｃの先端が挿入されている。更に、このとき、カバー板２は、二つのボビン９，１３の張出部９ｃ，１３ｃを、地板１の間座部１ｍ，１ｔに押し付け、ボビン９，１３が、軸１ｙ，１ｚの軸方向へ移動するのを防止している。そのため、回転子１０，１４は、常に安定した回転が行えるようになっている。
【００２６】
このように、本実施例の場合には、モータ構成部材が、全て羽根室内に取り付けられているため、回転子１０，１４の抜け止めをしているボビン９，１３の張出部９ｃ，１３ｃを必要以上に厚くしなくても、装置の移動中などに、回転子１０，１４などのモータ構成部材を損傷してしまうおそれが全くない。そのため、装置の薄型化に極めて有利な構成となっている。また、本実施例の場合には、カバー板２が、ボビン９，１３の張出部９ｃ，１３ｃを直接地板１に押し付けているため、専用の固定部材を必要とせず、コストの面でも極めて有利な構成となっている。しかしながら、本発明は、張出部９ｃ，１３ｃの形状を変えることによって、装置の薄型化を維持しながら、ねじなどによって、ボビン９，１３を地板１に固定することを妨げるものではない。更に、ボビン９，１３の張出部９ｃ，１３ｃを地板１に押し付けだけにする場合であっても、カバー板２によって直接押し付けることなく、中間板３の形状を大きくしておき、その中間板３を介して押し付けるようにしても構わない。
【００２７】
そこで、次に、図２及び図４を用いて本実施例の作動を説明する。上記したように、本実施例は、銀塩フィルムカメラにもデジタルカメラにも採用できるものである。しかしながら、その作動は、デジタルカメラに採用された場合で説明するため、図２に示された状態が、本実施例の撮影待機状態、即ち、カメラの電源がオンになっているが、撮影が行われていない状態である。そのため、この状態では、露光開口を規制する開口部２ａが全開となっていて、液晶モニターによって、被写体像を観察したり、撮影済みの画像を観察することが可能になっている。
【００２８】
また、このとき、コイル８，１２には電流が供給されていない。しかしながら、周知のように、ヨーク７，１１に形成された図示していない部位と、永久磁石１０ａ，１４ａとの相対位置関係によって、回転子１０，１４は、時計方向へ回転するように付勢されており、一方の回転子１０は、シャッタ羽根４がストッパ１ｗに当接し、シャッタ羽根５がストッパ１ｕに当接していることによって、この静止状態を維持されており、他方の回転子１４は、絞り羽根６がストッパ１ｘに当接していることによって、この静止状態を維持されている。尚、このとき、間座部１ｒの側面は、シャッタ羽根５のストッパの役目もしている。
【００２９】
このような図２の状態において、撮影者が、被写体像を観察しながらレリーズボタンを押すと、先ず、被写体光の測定結果によって、被写体光を減光して撮影するか、減光しないで撮影するかが判断され、減光して撮影する場合には、先ずコイル１２に通電してから所定時間後にコイル８に通電し、減光しないで撮影する場合には、コイル１２に通電することなく、コイル８にだけ通電することになる。しかしながら、その両方の場合について説明することもないと考えるので、減光して撮影する場合について説明する。そこで、先ず、コイル１２に通電されると、図２において、回転子１４は反時計方向へ回転させられ、絞り羽根６を時計方向へ回転させる。そして、絞り羽根６は、ストッパ１ｗに当接して停止させられ、絞り開口部６ａを開口部２ａ内に臨ませ、被写体光の光路面積を開口部２ａの場合よりも小さくする。
【００３０】
絞り羽根６が停止すると、露光制御回路からの信号によって、固体撮像素子が、それまで蓄積していた電荷を放出させられ、撮影のための電荷の蓄積を開始（撮影のための露光開始）させられる。そして、被写体の輝度と絞り開口に対応した所定の時間が経過すると、露光制御回路からの信号によって、コイル８に、正方向の通電が行われ、回転子１０は、図２において反時計方向へ回転させられ、出力ピン１０ｃによって、シャッタ羽根４を時計方向へ回転させ、シャッタ羽根５を反時計方向へ回転させて、開口部２ａを閉じさせていく。その後、シャッタ羽根４，５が、開口部２ａを完全に閉鎖すると、シャッタ羽根４がストッパ１ｖに当接することによって、回転子１０の回転が停止させられる。図４は、その静止状態を示したものである。
【００３１】
この状態で、固体撮像素子に蓄積された撮像情報が記憶装置に転送されるが、その転送が終了すると、コイル８に対して、先ほどとは逆方向の通電が行われる。それによって、回転子１０は、図４において時計方向へ回転させられ、出力ピン１０ｃによって、シャッタ羽根４を反時計方向へ回転させ、シャッタ羽根５を時計方向へ回転させて、開口部２ａを開いていく。そして、シャッタ羽根４，５が、開口部２ａを全開にすると、シャッタ羽根４がストッパ１ｗに当接し、シャッタ羽根５がストッパ１ｕに当接することによって、回転子１０の回転が停止させられる。
【００３２】
他方、コイル１２に対しても、コイル８の場合と略同時機に、先ほどとは逆方向への通電が行われる。そのため、図４において、回転子１４は時計方向へ回転させられ、絞り羽根６を反時計方向へ回転させる。そして、絞り羽根６が開口部２ａから完全に退き、ストッパ１ｘに当接して停止させられると、回転子１４の回転も停止させられる。その後、二つのコイル８，１２に対する通電を断つと、図２に示された状態になって、次の撮影まで、この状態が続くことになる。
【００３３】
尚、本実施例は、シャッタ装置と絞り装置を一つのユニットとして構成したものであるが、既に説明したように、本発明は、シャッタ装置，絞り装置,フィルタ装置を各々単独で構成しても差し支えない。また、本実施例のほかにも、シャッタ装置とフィルタ装置を一つのユニットとて構成したり、絞り装置とフィルタ装置を一つのユニットとして構成しても差し支えなく、場合によっては、それらの三つの装置を一つのユニットとして構成してもよい。更に、絞り装置やフィルタ装置の場合には、一つのユニットの中に複数備えているようにしても差し支えない。また、本実施例の場合には、回転子が一つの出力ピンを有しているが、本発明は、そのような構成に限定されず、周知のように、二つの出力ピンを有していて、２枚の羽根を相反する方向へ略直線的に作動させるように構成しても差し支えない。
【図面の簡単な説明】
【００３４】
【図１】シャッタ羽根が全開となっている撮影待機状態を被写体側から見た実施例の平面図である。
【図２】図１と同じ状態を固体撮像素子側から見た実施例の平面図である。
【図３】実施例の要部の構成を分かりやすく説明するための断面図である。
【図４】シャッタ羽根が閉鎖した状態を固体撮像素子側から見た実施例の平面図である。
【符号の説明】
【００３５】
１                                    地板
１ａ，２ａ，３ａ                      開口部
１ｂ，１ｃ，３ｂ，３ｃ，９ｄ，１３ｄ  孔
１ｄ，１ｅ                            窪み部
１ｆ，１ｇ，１ｈ，１ｙ，１ｚ          軸
１ｉ，１ｊ                            取付軸
１ｋ，１ｍ，１ｎ，１ｐ，１ｑ，１ｒ，１ｓ，１ｔ，２ｄ  間座部
１ｕ，１ｖ，１ｗ，１ｘ                ストッパ部
２                                    カバー板
２ｂ，２ｃ，４ａ，５ａ，６ｂ          長孔
３                                    中間板
４，５                                シャッタ羽根
６                                    絞り羽根
６ａ                                  絞り開口部
７，１１                              ヨーク
８，１２                              コイル
９，１３                              ボビン
９ａ，９ｂ，１３ａ，１３ｂ            端子ピン
９ｃ，１３ｃ                          張出部
１０，１４                            回転子
１０ａ，１４ａ                        永久磁石
１０ｂ，１４ｂ                        駆動部材
１０ｃ，１４ｃ                        出力ピン
【図１】
2006033914.tif 000003
【図２】
2006033914.tif 000004
【図３】
2006033914.tif 000005
【図４】
2006033914.tif 000006